(57)【特許請求の範囲】
【請求項１】
ふとんを一定方向に移送する第１の移送機構と、この第１の移送機構と協働してふとんを押さえながら移送する第１の押さえ機構と、前記第１の移送機構及び前記第１の押さえ機構で移送されるふとんを移送方向と平行方向に複数箇所で裁断すべく互いに平行に設けられた複数の回転刃を備えた第１の裁断機構と、この第１の裁断機構で裁断されたふとんをさらに同一方向に移送する第２の移送機構と、この第２の移送機構と協働してふとんを押さえながら移送する第２の押さえ機構と、前記第２の移送機構及び前記第２の押さえ機構で移送されるふとんを移送方向と直交方向に裁断すべく前記直交方向に移動可能に設けられた回転刃を備えた第２の裁断機構と、この第２の裁断機構による裁断時にふとんを押さえる第３の押さえ機構とからなることを特徴とするふとん裁断処理装置。
【請求項２】
第１の裁断機構の各回転刃をふとん移送径路から下方に離脱し得るように変位可能に設ける一方、第３の押さえ機構を、第２の裁断機構の回転刃が移動するときに刃先を被覆してガイドするとともに、ふとんを押さえる昇降可能なカバー部材で構成したことを特徴とする請求項１記載のふとん裁断処理装置。
【発明の詳細な説明】
【０００１】
【発明の属する技術分野】
本発明は、古ふとんを廃棄処理する際に使用するふとん裁断処理装置に関し、特に、焼却処理が可能なようにふとんを多数の四角状片に裁断するふとん裁断処理装置に関する。
【０００２】
【従来の技術】
近年のふとん綿は、天然綿１００％のものが少なく、合成繊維との混合、あるいは合成繊維のみを使用したものがほとんどなので、打ち直しして再利用することは困難である。このため、使い古した古ふとんを廃棄処理する場合は、粗大ごみとして埋め立て地等に運んで、そのまま廃棄しているのが現状である。
【０００３】
【発明が解決しようとする課題】
ふとんは嵩張り、運送作業が大変なので、古ふとんを焼却処理する試みもなされているが、ふとん綿の芯まで完全に燃焼させることは困難で、不完全燃焼の場合には大気汚染等の公害問題を引き起こす虞もあり、未だ実用化には至っていない。
【０００４】
本発明は、このような事情に鑑みてなされたもので、古ふとんを四角片状に裁断することにより、ふとん綿の芯まで完全に燃焼可能とし、焼却処理を可能としたふとん裁断処理装置を提供することを目的とする。
【０００５】
【課題を解決するための手段】
上記目的を達成するために、請求項１に記載の本発明に係るふとん裁断処理装置は、ふとんを一定方向に移送する第１の移送機構と、この第１の移送機構と協働してふとんを押さえながら移送する第１の押さえ機構と、前記第１の移送機構及び前記第１の押さえ機構で移送されるふとんを移送方向と平行方向に複数箇所で裁断すべく互いに平行に設けられた複数の回転刃を備えた第１の裁断機構と、この第１の裁断機構で裁断されたふとんをさらに同一方向に移送する第２の移送機構と、この第２の移送機構と協働してふとんを押さえながら移送する第２の押さえ機構と、前記第２の移送機構及び前記第２の押さえ機構で移送されるふとんを移送方向と直交方向に裁断すべく前記直交方向に移動可能に設けられた回転刃を備えた第２の裁断機構と、この第２の裁断機構による裁断時にふとんを押さえる第３の押さえ機構とからなることを特徴とする。
【０００６】
また、上記目的を達成するために、請求項２に記載の本発明に係るふとん裁断処理装置は、上記請求項１の構成において、第１の裁断機構の各回転刃をふとん移送径路から下方に離脱し得るように変位可能に設ける一方、第３の押さえ機構を、第２の裁断機構の回転刃が移動するときに刃先を被覆してガイドするとともに、ふとんを押さえる昇降可能なカバー部材で構成したことを特徴とする。
【０００７】
【発明の実施形態】
以下、本発明の実施の形態について、図１〜図３を参照しつつ説明する。ここにおいて、図１はふとん裁断処理装置の一部を省略して示す概略的側面図、図２は同じく概略的平面図、図３は第２の裁断機構の一部を省略して示す概略的正面図である。
【０００８】
図１及び図２に示すように、ふとん裁断処理装置１は、第１機構部１１と第２機構部１２とからなる。前記第１機構部１１は、処理対象となるふとん（図示せず）を一定方向に移送する第１の移送機構２と、この第１の移送機構２と協働してふとんを押さえながら移送する第１の押さえ機構３と、前記第１の移送機構２及び前記第１の押さえ機構３で移送されるふとんを移送方向と平行方向に複数箇所で裁断すべく互いに平行に設けられた複数、図示例では６個の回転刃４１を備えた第１の裁断機構４とからなる。
【０００９】
また、第２機構部１２は、上述した第１の裁断機構４で裁断されたふとんをさらに同一方向に移送する第２の移送機構５と、この第２の移送機構５と協働してふとんを押さえながら移送する第２の押さえ機構６と、前記第２の移送機構５及び前記第２の押さえ機構６で移送されるふとんを移送方向と直交方向に裁断すべく前記直交方向に移動可能に設けられた回転刃７１を備えた第２の裁断機構７と、この第２の裁断機構による裁断時にふとんを押さえる第３の押さえ機構とからなる。なお、第１機構部１１と、第２機構部１２には、それぞれキャスター８４，８５が設けられ、ふとん裁断処理装置１は移動可能となっている。
【００１０】
続いて、上述した各機構の構成について詳細に説明する。図１及び図２に示すように、ふとんを間欠的に移送する第１の移送機構２は、一対の回転ロール２１，２２に掛け渡され、図１上時計方向に、循環移動する２本一組の無端状の搬送ベルト２３ａ，２３ｂを６組備えている。また、これら６組の搬送ベルト２３ａ，２３ｂの前段に、一対の回転ロール２４，２５に掛け渡された、各搬送ベルト２３ａ，２３ｂと同期して、図１上時計方向に、循環移動する４本の無端状の搬送ベルト２６を備えている。これら搬送ベルト２６は、回転ロール２４側から回転ロール２５側に向けて上昇するよう傾斜している。
【００１１】
図１に示す第１の押さえ機構３は、第１の移送機構２と協働してふとんを押さえながら移送するもので、図では明確でないが、各搬送ベルト２３ａ，２３ｂの組と対応するよう配設した、２本１組の搬送ベルト３３（１本のみ図示）を６組備えている。これら各搬送ベルト３３は、一対の回転ロール３１，３２とガイドロール３４に掛け渡され、各搬送ベルト２３ａ，２３ｂと同期して、図１上時計方向に、循環移動する。そして、回転ロール３２とガイドロール３４は同一高さ位置にあり、回転ロール３１はこれらよりも上方に位置して、ふとんの導入が容易になるよう構成している。
【００１２】
図１及び図２に示すように、第１の裁断機構４は、各搬送ベルト２３ａ，２３ｂと各搬送ベルト３３で上下方向から挟持された状態で移送されるふとんを移送方向と平行方向に裁断するもので、各組の搬送ベルト２３ａ，２３ｂの間に、互いに平行に設けられた６個の回転刃４１を備えている。各回転刃４１は、第１機構部１１の機枠にボルト４２で留めた固定杆４３に、ブラケット４４を介して固定した一対の支持板４５ａ，４５ｂに回転自在に支持している。前記各回転刃４１は、モータ（図示せず）の出力軸に固定したプーリ４６の回転駆動力を、プーリベルトを介してプーリ４７に伝達し、さらに、プーリベルトを介して前記各回転刃４１の回転軸に固定したプーリ４８に伝達して、回転駆動する。
【００１３】
また、各支持板４５ａ，４５ｂはプーリ４７の支持軸を軸として下方に揺動可能であり、ボルト４２を外すと、フリー状態となった固定杆４３とともに下方に揺動し（図１の２点鎖線状態）、各回転刃４１はふとんの移送径路から下方に外れる。これによって各搬送ベルト２３ａ，２３ｂが邪魔にならない状態となり、各回転刃４１の交換を容易に行うことができる。
【００１４】
また、上述した各回転刃４１で裁断されたふとんを、さらに同一方向に移送する第２の移送機構５は、上下一対の搬送ロール５１，５２からなる。これら搬送ロール５１，５２は、各搬送ベルト２３ａ，２３ｂ及び各搬送ベルト３３と同期して回転するもので、搬送ロール５２は図１上時計方向に、また、搬送ロール５１は図１上反時計方向に、それぞれ回転する。
【００１５】
第２の押さえ機構６は、上述した搬送ロール５１，５２と協働してふとんを押さえながら移送するもので、同じく上下一対の搬送ロール６１，６２からなる。これら搬送ロール６１，６２は、前記各搬送ロール５１，５２、各搬送ベルト２３ａ，２３ｂ及び各搬送ベルト３３と同期して、図１上時計方向に回転する。前記搬送ロール６１は、図では明確ではないが、左右一対の支持体６３（一方のみ図示、図１参照）に回転自在に支持されているもので、この支持体６３がシリンダ６４の作動によって昇降動することにより、昇降自在となり、搬送ロール６２との間隔を調整可能になっている。
【００１６】
上述の搬送ロール５１，５２及び６１，６２で移送されるふとんを移送方向と直交方向に裁断する第２の裁断機構７は、回転刃７１を備えている。この回転刃７１は、断面Ｌ字状の移動板７２に固定した支持体７３に回転自在に支持された回転軸７４に取り付けられている。この回転軸７４にはプーリ７７が取り付けられ、前記移動板７２に固定したモータ７５の回転駆動力を、プーリ７６、プーリベルト、前記プーリ７７を介して前記回転軸７４に伝達する。
【００１７】
図３に示すように、支持体７３の下端には無端状のチェーン７８が取り付けられ、このチェーン７８は一対の可逆回転するスプロケット７９ａ，７９ｂに掛け渡されて、往復循環移動する。これによって、前記支持体７３はガイド８０に沿って往復移動する。したがって、この支持体７３の移動に伴われて、回転刃７１はふとんの移送方向と直交方向に移動して、ふとんを移送方向と直交方向に裁断する。
【００１８】
この裁断時には、シリンダ８１に両端を固定したカバー部材８２が、シリンダ８１の作動によって下降することにより、回転刃７１の刃先を被覆するとともに、ふとんを押さえるものである。すなわち、このカバー部材８２が第３の押さえ機構を構成する。前記カバー部材８２は、回転刃７１の非裁断時には、図２，図３に示す上昇位置にある。
【００１９】
また、回転刃７１の待機位置及び最終移動位置はふとんの移送経路から外れており、前記回転刃７１が待機位置及び最終移動位置に有る場合には、ふとんは前記回転刃７１に触れることなく移送される。前記回転刃７１を備えた第２の裁断機構７につづいて、切断処理したふとんを搬出するための搬出ベルト８３が設けられている。
【００２０】
続いて、上述のように構成した実施形態における裁断動作を説明する。なお、この裁断動作は、図示していないセンサーやスイッチの動作に基づいて自動制御される。各搬送ベルト２３ａ，２３ｂ，２６上に、処理対象となるふとん（図示せず）を載置し、これら各搬送ベルト２３ａ，２３ｂ，２６と搬送ベルト３３を循環移動するとともに、各回転刃４１を回転する。これによって、ふとんは各回転刃４１に向けて移送され、各搬送ベルト２３ａ，２３ｂと各搬送ベルト３３で上下方向から挟持された状態で移送されながら、移送方向と平行方向に６か所で裁断され、７本の帯状部材になる。
【００２１】
７本の帯状となったふとんは、各搬送ベルト２３ａ，２３ｂ及び各搬送ベルト３３と同期して回転駆動している搬送ロール５１，５２及び搬送ロール６１，６２により、排出ベルト８３方向に移送される。この時、前記回転刃７１は待機位置にあるので、帯状に裁断されたふとんは、回転刃７１の横を通過していく。所定距離移送したところで、搬送ロール５１，５２，６１，６２、各搬送ベルト２３ａ，２３ｂ，３３を停止する。
【００２２】
続いて、カバー部材８２を下降して７本の帯状となったふとんを押さえ、回転刃７１を回転してカバー部材８２でガイドしつつガイド８０に沿って一往復し、ふとんを移送方向と直交方向に裁断して、７個の四角状片とする。なお、この裁断時には、搬送ロール６１，６２も帯状のふとんを挟持して押さえている。
【００２３】
このようにして裁断され四角状片となったふとんは、搬出ベルト８３により搬出する。一方、カバー部材８２を待機位置まで上昇する。これで、一連の裁断動作の１サイクルが終了する。なお、四角状片の大きさは、各回転刃４１の間隔と、帯状部材の移送量により決まる。
【００２４】
そして、再び各搬送ベルト２３ａ，２３ｂ，３３及び各搬送ロール５１，５２，６１，６２を駆動し、７本の帯状のふとんを所定距離移送したところで、各搬送ローラ５１，５２，６１，６２、各搬送ベルト２３ａ，２３ｂ，３３を停止し、カバー部材８２を下降してふとんを押さえ、回転刃７１を回転してカバー部材８２でガイドしつつガイド８０に沿って一往復し、ふとんを７個の四角状片に裁断し、カバー部材８２を待機位置まで上昇する。
【００２５】
このような裁断動作を繰り返して、１枚のふとんを多数の四角状片に裁断する。そして、１枚のふとんすべてを四角状片に裁断し終わったら、処理対象である新たなふとんをセットして、上述の裁断動作を繰り返す。
【００２６】
なお、本発明が、上述した実施形態に限定されないことはもちろんであり、例えば、回転刃４１の数は６個に限らない。
【００２７】
【発明の効果】
以上説明したところで明らかなように、本願の請求項１の発明であるふとん裁断処理装置によれば、ふとんを多数の四角状片に裁断できるので、焼却処理で完全に燃焼させることができ、廃棄処分が容易であり、また、押さえ機構で押さえながら、回転刃で裁断するので、ふとんの裁断処理がより確実に行えるという効果を奏する。
【００２８】
本願の請求項２の発明であるふとん裁断処理装置によれば、上述の効果に加え、第１の裁断機構の回転刃をふとんの移送経路から下方に離脱できるので、回転刃の交換が容易になるとともに、第２の裁断機構での裁断時に回転刃の刃先をカバー部材で被覆するとともにふとんを押さえるので、作業を安全かつ確実になし得るという効果を奏する。
【図面の簡単な説明】
【図１】  ふとん裁断処理装置の一部を省略して示す概略的側面図。
【図２】  同じく概略的平面図。
【図３】  第２の裁断機構の一部を省略して示す概略的正面図。
【符号の説明】
１      ふとん裁断処理装置
２３ａ，２３ｂ，２６，３３      搬送ベルト
４１      回転刃
４５ａ，４５ｂ      支持板
５１，５２，６１，６２      搬送ロール
７１      回転刃
７２      カバー部材
【図１】
0004174100.tif 000002
【図２】
0004174100.tif 000003
【図３】
0004174100.tif 000004